(57)【要約】      （修正有）【課題】支持ロッドに対する刈刃部の接続角度が調整可能な携帯型刈払機とこれに用いる曲折用アタッチメントを提供する。【解決手段】支持ロッド２０内に挿通させた動力伝達手段により原動機３０の動力を刈刃部５０に伝達させる携帯型刈払機１０に取り付けて用いられ、支持ロッド２０に対する刈刃部５０の支持角度を可変とする曲折用アタッチメント４０を装着している。曲折用アタッチメントは連結ピンにより連結されたリンク部が直列状に連設された曲折部と、曲折部の両端部に設けられ、支持ロッド２０および刈刃部５０にそれぞれ接続させるための接続部とを有し、連結ピンには、連結ピンと直交する方向に動力伝達手段に連結された動力ワイヤが挿通可能な挿通孔が形成されていることを特徴とする。【選択図】図１
2007185181.tif 000002
【特許請求の範囲】
【請求項１】
原動機に基端部が取り付けられた支持ロッドの先端に刈刃部が取り付けられ、支持ロッド内に挿通させた動力伝達部材を介して前記原動機の動力が前記刈刃部に伝達される携帯型刈払機に取り付けて用いられ、前記支持ロッドに対する前記刈刃部の支持角度を可変とする曲折用アタッチメントであって、
連結ピンにより連結されたリンク部が直列状に連設された曲折部と、
該曲折部の両端部に設けられ、前記支持ロッドおよび前記刈刃部にそれぞれ接続させるための接続部と、
一端部が前記支持ロッドの動力伝達手段に、他端部が前記刈刃部の動力伝達手段にそれぞれ連結された動力ワイヤと、を有し、
前記連結ピンには、前記連結ピンと直交する方向に前記動力伝達部材に連結された動力ワイヤが挿通可能な挿通孔が形成されていることを特徴とする曲折用アタッチメント。
【請求項２】
前記曲折部の外周には被覆材が設けられていることを特徴とする請求項１記載の曲折用アタッチメント。
【請求項３】
前記被覆材はスプリングであることを特徴とする請求項２記載の曲折用アタッチメント。
【請求項４】
前記挿通孔には、中空構造であると共に曲折可能に形成された間挿材が挿通されていて、前記動力ワイヤが前記間挿材に挿通されていることを特徴とする請求項１〜３のうちのいずれか一項記載の曲折用アタッチメント。
【請求項５】
前記間挿材は、スプリングであることを特徴とする請求項４記載の曲折用アタッチメント。
【請求項６】
エンジンに基端部が取り付けられた支持ロッドと、
該支持ロッドの先端部に取り付けられた刈刃部と、
前記支持ロッドの内部に挿通され、前記原動機の出力を前記刈刃部に伝達するための動力伝達部材と、を具備する携帯型刈払機であって、
前記支持ロッドと前記刈刃部との間に、請求項１〜５のうちのいずれか一項記載の曲折用アタッチメントが取り付けられていると共に、前記支持ロッドに前記支持ロッドに対する前記刈刃部の曲折角度を調整する曲折角度調整具が設けられていることを特徴とする携帯型刈払機。
【請求項７】
前記曲折角度調整具は操作レバーと操作レバーの動作を伝達する２系統の動作伝達手段を備え、
前記操作レバーの動作方向に対する一方の動作伝達手段の作動方向と、前記操作レバーの動作方向に対する他方の動作伝達手段の作動方向は、それぞれ逆方向であることを特徴とする請求項６記載の携帯型刈払機。
【発明の詳細な説明】
【技術分野】
【０００１】
本発明は、曲折用アタッチメントおよびこれを装着してなる携帯型刈払機に関し、より詳細には、刈刃部の角度を調整可能とする曲折用アタッチメントと、これを装着してなる携帯型刈払機に関する。
【背景技術】
【０００２】
携帯型動力刈払機は、所要長さのロッドに原動機と刈刃部が設けられることによりなっている。また、近年においては、ロッドに対して刈刃部の接続角度を調節することができるものも提供されている。このような携帯型動力刈払機としては、例えば特許文献１に開示されたようなものがある。
特許文献１における携帯型動力刈払機は、ロッドに対して、刈刃部の接続角度が調整自在になっている。これによりロッドに対して刈刃部の接続角度が固定された旧来の携帯型動力刈払機に比べて、土手等の傾斜地における草刈作業における負荷を大幅に軽減させることができるため、好適に用いられていた。
【特許文献１】実開平５−１５７２０号公報
【発明の開示】
【発明が解決しようとする課題】
【０００３】
特許文献１における携帯型動力刈払機においては、少なくとも曲折部分が可とう性を有する材料で形成されている伝動軸保持管Ａが用いられており、ロッド２０に対して刈刃部５０が意図しない方向に回転することを防ぐために、図１２示すように、ロッド２０と刈刃部５０とを互いに連結固定するための刈刃部支持アームＢが設けられている。このように、刈刃部支持アームＢを設けることにより、ロッド２０に対する刈刃部５０の曲折角度を好適に維持することが可能になる。しかしながら、実際に草を刈り払う際においては、携帯型刈払機を図１２の矢印方向に揺動させるため、刈り取った草が伝動軸保持管Ａと刈刃部支持アームＢとの間に絡まり抵抗が生じるため、刈払い作業の効率が大幅に低下してしまうといった課題がある。
【０００４】
本発明は上記課題を解決すべくなされたものであり、その目的とするところは、支持ロッドに対する刈刃部の接続角度が調整可能であると共に、刈り取った草が絡まりにくく、作業効率が良好な曲折用アタッチメントと、これを装着してなる携帯型刈払機を提供することにある。
【課題を解決するための手段】
【０００５】
以上の目的を実現するため、本発明は以下の構成を有する。
すなわち、原動機に基端部が取り付けられた支持ロッドの先端に刈刃部が取り付けられ、支持ロッド内に挿通させた動力伝達部材を介して前記原動機の動力が前記刈刃部に伝達される携帯型刈払機に取り付けて用いられ、前記支持ロッドに対する前記刈刃部の支持角度を可変とする曲折用アタッチメントであって、連結ピンにより連結されたリンク部が直列状に連設された曲折部と、該曲折部の両端部に設けられ、前記支持ロッドおよび前記刈刃部にそれぞれ接続させるための接続部と、一端部が前記支持ロッドの動力伝達手段に、他端部が前記刈刃部の動力伝達手段にそれぞれ連結された動力ワイヤと、を有し、前記連結ピンには、前記連結ピンと直交する方向に前記動力伝達部材に連結された動力ワイヤが挿通可能な挿通孔が形成されていることを特徴とする曲折用アタッチメントである。
【０００６】
また、前記曲折部の外周には被覆材が設けられていることを特徴とする。
これにより、曲折用アタッチメントへの外部からの衝撃を緩和させることができる。
また、前記被覆材はスプリングであることを特徴とする。
これにより、曲折用アタッチメントの自重による意図しない曲折を防止することが可能になると共に、後述する動作伝達手段を保護することができる。
【０００７】
また、前記挿通孔には、中空構造であると共に曲折可能に形成された間挿材が挿通されていて、前記動力ワイヤが前記間挿材に挿通されていることを特徴とする。
このように、動力ワイヤを連結ピンに直接接触させないことにより、連結ピンの磨耗を防止することができると共に、曲折部を容易に曲折させることができる。
【０００８】
また、前記挿通孔には、中空構造であると共に曲折可能に形成された間挿材が挿通されていて、前記動力ワイヤが前記間挿材に挿通されていることを特徴とする。
また、前記間挿材は、スプリングであることを特徴とする。
これらにより、曲折部の曲折状態に合わせて間挿材を柔軟に変形させることができると共に、曲折用アタッチメントを安価に製造することができ、動力ワイヤと連結ピンとの摩擦による損傷を防止することができる。
【０００９】
また、他の発明は、エンジンに基端部が取り付けられた支持ロッドと、該支持ロッドの先端部に取り付けられた刈刃部と、前記支持ロッドの内部に挿通され、前記原動機の出力を前記刈刃部に伝達するための動力伝達部材と、を具備する携帯型刈払機であって、前記支持ロッドと前記刈刃部の間に、上記のうちのいずれかに係る曲折用アタッチメントが取り付けられていると共に、前記支持ロッドに前記支持ロッドに対する前記刈刃部の曲折角度を調整する曲折角度調整具が設けられていることを特徴とする携帯型刈払機である。
【００１０】
また、前記曲折角度調整具は操作レバーと操作レバーの動作を伝達する２系統の動作伝達手段を備え、前記操作レバーの動作方向に対する一方の動作伝達手段の作動方向と、前記操作レバーの動作方向に対する他方の動作伝達手段の作動方向は、それぞれ逆方向であることを特徴とする。
これにより、操作レバーの可動範囲に対する刈刃部の曲折角度を大きくとることができるため、コンパクトな曲折角度調整具にすることができる。
【発明の効果】
【００１１】
本発明によれば、曲折部がいわゆるチェーン状に形成されたリンク構造をなしているため、支持ロッドに対して刈刃部が支持ロッドの中心軸に対して一方の直交方向のみに曲折させることができる。これにより支持ロッドと刈刃部を連結固定する刈刃部支持アームを配設する必要が無くなる。したがって、曲折用アタッチメント部分に刈り取った草が絡まりにくい構造となり、実使用における作業性が高く扱いやすい携帯型刈払機を安価にて提供することができる。
【００１２】
また、本発明に係る曲折用アタッチメントを従来の携帯用刈払機に適用することにより、旧型の携帯型刈払機にも刈刃部の曲折機能を低価格で付加させることができる。また、万が一曲折部が破損した場合であっても、曲折部だけを交換すればよいためランニングコストも低減させることができる。
さらには、曲折部を取り付けする際に、支持ロッドの全長を調整することができるため、ユーザの身長に合わせた携帯型刈払機を提供することができ、作業の疲労度を大幅に低減させることも可能になる。
【発明を実施するための最良の形態】
【００１３】
（第１実施形態）
まず、本発明にかかる曲折用アタッチメントを備えた携帯型刈払機について添付図面に基づいて説明する。図１は、本実施の形態に係る形態型刈払機の斜視図である。図２は、支持ロッドの軸線方向と直交する方向における支持ロッドの断面図である。図３は、図１における刈刃部を拡大した説明図である。図４は、曲折用アタッチメントの構造を示す平面図である。図５は、曲折用アタッチメントの構造を示す正面図である。図６は、曲折部を曲折させた状態を示す正面図である。図７は、曲折角度調整具を示す平面図である。
【００１４】
本実施の形態における携帯型刈払機１０は、支持ロッド２０と、支持ロッド２０の一端部側に設けられた原動機であるエンジン３０と、支持ロッド２０の他端側に接続された曲折用アタッチメント４０と、曲折用アタッチメント４０に接続された刈刃部５０と、支持ロッド２０に対する曲折用アタッチメント４０の曲折角度を調整する曲折角度調整具６０を有している。エンジン３０の出力は、支持ロッド２０の内部に挿通された動力ワイヤ７０を介して刈刃部５０に伝達されている。
【００１５】
支持ロッド２０について説明する。
支持ロッド２０の一端側には原動機であるエンジン３０が取り付けられている。エンジン３０は出力軸（図示せず）の中心軸が支持ロッド２０の中心軸に一致するようにして取り付けられている。
支持ロッド２０の他端部（エンジン３０が取り付けられている側と反対側の端部）には、曲折用アタッチメント４０が接続されている。曲折用アタッチメント４０には保護カバー４８が取り付けられている。保護カバー４８は可とう性を有する材料で形成されている。加えて耐候性や耐油性を有する材料であればなお好適である。本実施の形態における保護カバー４８は合成ゴムにより形成されたものが用いられている。
【００１６】
支持ロッド２０の中間部分には、携帯型刈払機１０全体の動きを操作するためのハンドル２２が取り付けられている。ハンドル２２の一端側には、エンジン３０の出力を調整するためのスロットル操作レバー２４が設けられている。スロットル操作レバー２４とエンジン３０のスロットル間はスロットルワイヤ２６で接続されている。支持ロッド２０のハンドル２２付近には、曲折用アタッチメント４０の曲折角度を調整するための曲折角度調整具６０が設けられている。
【００１７】
また、図２に示されているように、支持ロッド２０は中空構造に形成されている。支持ロッド２０の中空部分には、エンジン３０からの動力を刈刃部５０に伝達させるための動力ワイヤ７０と動力ワイヤ７０を保持する動力ワイヤ保持具７２が挿通されている。
動力ワイヤ７０の一端部分は図示しない接続具を介してエンジン３０の出力軸の先端部分と接続されている。動力ワイヤ保持具７２は、挿通管７２ａと挿通管７２ａの外表面から放射状に突出し、支持ロッド２０の内表面に当接するスペーサ７２ｂにより構成されている。動力ワイヤ保持具７２は、エンジン３０の出力軸と動力ワイヤ７０の接続部分から曲折用アタッチメント４０との接続側端部から所要距離をあけた位置まで配設されている。
【００１８】
刈刃部５０について説明する。
図３に示すように刈刃部５０は、回転刃５２と、曲折用アタッチメント４０と接続させる接続ロッド５４と動力ワイヤ７０により伝達された動力を回転刃５２の回転力に変換する動力変換部５６と、刈り取った草等の飛散を防止する飛散防止具５８を有している。刈刃部５０は、曲折用アタッチメント４０の取付部４６に接続ロッド５４を差し込んだ後、ネジ止めすることにより曲折用アタッチメント４０に連結固定される。
接続ロッド５４は、支持ロッド２０と同様に、中空構造をなすと共に接続ロッド５４の内部空間には動力ワイヤ保持具７２が配設されている。動力ワイヤ保持具７２は動力変換部５６から曲折用アタッチメント４０との接続端部から所要距離をあけた位置まで配設されている。
【００１９】
本実施の形態における動力変換部５６にはギア構造が採用されている。動力変換部５６における受動ギア（図示せず）は回転軸を回転刃５２の回転軸と同軸にして設けられており、受動ギアの外表面はギアカバー５６ａで覆われている。動力ワイヤ７０の先端部分には、回転軸を動力ワイヤ７０の回転軸と同軸にした駆動ギア（図示せず）が設けられている。動力ワイヤ７０と駆動ギアの接続は、動力ワイヤ７０とエンジン３０の出力軸との接続方法と同様に、接続具を介して接続されている。駆動ギアと受動ギアは回転ギアの回転軸と受動ギアの回転軸とが直交した状態で噛合している。
【００２０】
飛散防止カバー５８は、接続ロッド５４に固定され、回転刃５２の操作者側部分を覆っている。飛散防止カバー５８は軽量で、かつ、衝撃に対する耐久性に富む材料により形成されている。本実施の形態における飛散防止カバー５８は、強化プラスチックにより形成されている。
【００２１】
曲折用アタッチメント４０について説明する。
曲折用アタッチメント４０は、図４、図５に示すように、インナーリンク板４２を連結ピン４３により連結したリンク部４４がアウターリンク板４５により直列状に連設されてなる曲折部４６と、支持ロッド２０および刈刃部５０に接続させる接続部４７を有している。より具体的には、図５に示しているように、曲折用アタッチメント４０は、チェーンの両端に接続部４７が取り付けられた状態になっている。
【００２２】
接続部４７は、断面形状が円弧状をなす曲面板部分の一端縁にアウターリンク板４５と同形状に形成された平板部分が取り付けられた接続片４７ａを２つ対向させてなっている。接続部４７は、チェーン状に形成された曲折部４６の両端部分において、アウターリンク板４５の代わりに、接続片４７ａの平板部分をインナーリンク板４２に連結固定して曲折部４６に取り付けられている。このとき、２枚の接続片４７ａ，４７ａの対向端面同士は互いに離反した状態になっているので、接続部４７へ差し込み可能なロッドの太さの幅が広がり好都合である。なお、接続部４７と支持ロッド２０および刈刃部５０の接続ロッド５４は、ネジ４８によりそれぞれ接続固定されている。また、それぞれの接続部４７において、一方の接続片４７ａには、曲折用アタッチメント４０を曲折させるための調整ケーブル６４を係止または挿通して保持する調整ケーブル保持部４７ｂが設けられている。
【００２３】
このようにして支持ロッド２０および刈刃部５０の接続ロッド５４に接続された曲折用アタッチメント４０は、支持ロッド２０の中心軸に対して一方の直交方向（操作者からみて支持ロッド２０の上面から下面の方向）においてのみ曲折可能になっている。したがって従来技術のように曲折用アタッチメント４０が刈払い作業時におけるスイング方向への曲折を防止するストッパを配設する必要がなくなる。
【００２４】
連結ピン４３には、動力ワイヤ７０を曲折用アタッチメント４０内に挿通させるための挿通孔４３ａが設けられている。挿通孔４３ａは支持ロッド２０の中心軸線の延長方向に連結ピン４３を貫通している。動力ワイヤ７０は、挿通孔４３ａに挿通させた間挿材であるコイルスプリング８０を介して挿通孔４３ａに挿通されている。コイルスプリング８０は、曲折用アタッチメント４０の中心軸と支持ロッド２０の中心軸とを一致させた状態（曲折用アタッチメント４０をまっすぐにした状態）において、支持ロッド２０内および刈刃部５０の接続ロッド５４内にそれぞれ配設されている動力ワイヤ保持具７２に両端部が当接する長さに形成されている。コイルスプリング８０は特に固定されているものではない。
【００２５】
図６に示すように、ケーブル保持部４７ｂ，４７ｂ間の調整ケーブル６４を弛緩させると曲折用アタッチメント４０が曲折する。曲折用アタッチメント４０の曲折は、連結ピン４３を折れ点とした折れ線状になるが、挿通孔４３ａに挿通されているコイルスプリング８０は滑らかな曲線を描いて曲折する。動力ワイヤ７０は滑らかに曲折したコイルスプリング８０の内側部分を挿通しているため、動力ワイヤ７０も滑らかに曲がると共に、連結ピン４３との接触による磨耗を防ぐことができる。したがって、エンジン３０からの動力を効率的に回転刃５２に伝達することができると共に、曲折用アタッチメント４０のメンテナンスを簡便にすることができるのである。
【００２６】
曲折角度調整具６０について説明する。
曲折角度調整具６０は、図１、図７に示すように支持ロッド２０の中間部分に配設された操作レバー６２と、両端部が操作レバー６２と刈刃部５０に設けられた係止部５９にそれぞれ係合された調整ケーブル６４により構成されている。操作レバー６２は回転軸６６を中心として回動可能になっている。調整ケーブル６４の一端部は、操作レバー６２の基部６２ａに係合されている。すなわち、操作レバー６２により操作レバー６２の基部６２ａと刈刃部５０の係止部５９間の調整ケーブル６４の張力が調節されることになる。
操作レバー６２を操作して調整ケーブル６４の張力を調整ことにより、曲折用アタッチメント４０の曲折角度を調節している。調整ケーブル６４は支持ロッド２０の外表面上を沿うようにして配設されている。
【００２７】
具体的には、操作レバー６２をＡ方向に回動させる操作により、刈刃部５０の係止部５９と操作レバー６２の基部６２ａの間の調整ケーブル６４の張力を下げると、刈刃部５０は、重力の作用により支持ロッド２０の下面方向に下がるので、曲折用アタッチメント４０は支持ロッド２０の下面側の方向（すなわち下方側）へ曲折する。これとは逆に、操作レバー６２をＢ方向に回動させる操作によって刈刃部５０の係止部５９と操作レバー６２の基部６２ａとの間の調整ケーブル６４の張力を上げると、刈刃部５０は重力に逆らって支持ロッド２０の上面方向に引き上げられるので、曲折用アタッチメント４０は支持ロッド２０の上面側の方向（すなわち上方側）へ曲折する。
また、図示しないが、曲折角度調整具６０にはストッパが設けられているため、曲折用アタッチメント４０を任意の位置、または所定の角度もしくは所定の角度間隔で曲折させた状態を維持することが可能になっている。
【００２８】
図８は、本実施の形態における携帯型刈払機１０の使用状態の一例を示している。
まず、（ａ）について説明する。（ａ）の状態は、土手等の傾斜面の草刈作業を法尻側から法肩側に向かって作業する場合に好適な状態である。一方、（ｂ）の状態は、土手等の傾斜面の草刈作業を法方側から法尻側に向かって作業する場合に好適な状態である。このように、本願発明に係る携帯型刈払機１０は傾斜面における刈払い作業をする際において特に使い勝手が良好である。調整ケーブル６４の支点の位置にもよるが、曲折用アタッチメントは支持ロッド２０の中心軸に対して直交する上下方向にそれぞれ３０度ずつ曲折可能であるので、曲折用アタッチメント４０は、ほとんどの傾斜面に適した曲折状態を提供することができる。
【００２９】
（第２実施形態）
本実施の形態においては、曲折用アタッチメント４０の他の実施形態についての説明をおこなう。なお本実施の形態においては、第１実施形態と構成が同じ部材については実施形態その１と同じ部材番号を用い、詳細な説明は省略している。
図９は、本実施の形態における曲折用アタッチメント４０の概略を示す説明図である。図１０は、本実施の形態における曲折角度調整具の説明図である。図１１は、（ａ）が図１０の平面図であり、（ｂ）が図１０の底面図である。
【００３０】
本実施の形態における支持ロッド２０の内部には、原動機であるエンジン３０からの動力を刈刃部に伝達するための動力伝達手段としてシャフト９０が用いられている。動力伝達手段であるシャフト９０と曲折部４０の動力ワイヤ７０は、支持ロッド２０の先端（エンジン３０と反対側）部分および刈刃部５０の基端側におけるそれぞれのシャフト９０の先端部に取り付けられた接続アダプタ（図示せず）を介して接続される。シャフト９０の先端部に一端部が固定された接続アダプタの他端部に動力ワイヤ７０を接続した後、接続アダプタの他端部をかしめることにより接続アダプタと動力ワイヤ７０が連結される。
【００３１】
また、本実施の形態においては、図９に示すように、曲折用アタッチメント４０の曲折部４６の被覆材（保護部材）としてスプリング９２を用いている。スプリング９２は、曲折部４６の外周面を覆うようにして配設されている。スプリング９２は曲折部４６に着脱可能に配設されているので曲折部４６のメンテナンスを容易に行うことができる。
また、曲折部４６の被覆材（保護部材）としてスプリング９２を用いることにより被覆材（保護部材）自体に曲げ抵抗が生じ、曲折用アタッチメント４０が自重により意図せずに下方に曲折してしまうことを防止することができると共に、刈払い作業中に曲折部４６に石等が衝突して曲折部４６が破損してしまうことも防止可能である。
図９に示す曲折部４６の被覆材（保護部材）として用いたスプリング９２は、スプリング９２を曲げない状態で各コイルが互いに離反している形態のものであるが、各コイルが接触した状態のスプリング９２（密なスプリング９２）を用いれば、曲折部４６の破損をさらに好適に防止することができる。
【００３２】
本実施の形態における曲折角度調整具６０は、操作レバー６２と操作レバー６２の動作を伝達する２系統の動作伝達手段（調整ケーブル６４）を備えている。図１０に示すように、各調整ケーブル６４ａと６４ｂは、支持ロッド２０の側面に対向するように配設されている。本実施の形態における各調整ケーブル６４ａ、６４ｂは、支持ロッド２０の上面と下面にそれぞれ配設されている。操作レバー６２は各調整ケーブル６４ａ、６４ｂの中間位置に配設されている。操作レバー６２は、Ｙ字形状に形成されていて、開口部分で支持ロッド２０の外周面をクランプするようにして支持ロッド２０に取り付けられている。支持ロッド２０と操作レバー６２の間には調整ケーブル６４の巻付部材６６が介挿され、操作レバー６２と巻付部材６６と支持ロッド２０がネジ止めにより取り付けられている。巻付部材６６は操作レバー６２の回動動作に伴って回動可能である。
【００３３】
各調整ケーブル６４ａ、６４ｂの一端部は巻付部材６６に係止され、他端部は刈刃部５０の係止部５９に係止されている。係止部５９においても一方の調整ケーブル６４ａは支持ロッド２０の上面側に、他方の調整ケーブル６４ｂは支持ロッド２０の下面側にそれぞれ係止されている。
本実施の形態における曲折角度調整具６０は、操作レバー６２を図１１（ａ）中の矢印方向に回動させると、一方の調整ケーブル６４ａは図１１（ａ）に示すように巻付部材６６に巻回され、調整ケーブル６４ａは刈刃部５０に対して引っ張り力を与える。これに対して他方の調整ケーブル６４ｂは図１１（ｂ）に示すように巻付部材６６から繰り出され、刈刃部５０を押し出す力を与える。このような２系統の調整ケーブル６４ａ、６４ｂの動作により、刈刃部５０は支持ロッド２０に対して上向き方向に曲折することになる。本実施の形態においては、刈刃部５０の支持ロッド２０に対する上向き方向の曲折角度は５５度まで曲折可能に設定されている。
【００３４】
ここで、操作レバー６２を図１１（ａ）の矢印方向と逆方向に回動させると、各調整ケーブル６４ａ、６４ｂはそれぞれ反対の動作をし、刈刃部５０は支持ロッド２０に対して下向き方向に曲折することになる。本実施の形態においては、刈刃部５０の支持ロッド２０に対する下向き方向の曲折角度は３５度まで曲折可能に設定されている。
このように曲折角度調整具６０において、２系統の調整ケーブル６４を用いることにより、操作レバー６２の回動角度がわずかであっても刈刃部５０の支持ロッド２０に対する曲折角度を大きくすることができるため好都合である。また、２箇所で支持ロッド２０に対する刈刃部５０の曲折状態を維持しているので、刈払い作業中における支持ロッド２０に対する刈刃部５０の曲折角度の変化がさらに生じにくくなり、使い勝手がさらに向上する。
【００３５】
以上に、実施の形態に基づいて本願発明に係る携帯型刈払機１０について詳細に説明してきたが、本発明は以上の実施形態に限定されるものではなく、発明の要旨を変更しない範囲において実施形態を改変することができるのはもちろんである。
例えば、本実施の形態においては、原動機としてエンジンを用いているが、他の原動機としてモータ等を用いる形態とすることもできる。原動機にモータを用いた場合には、携帯型刈払機１０に電源装置が必要になるが、電源装置としてはバッテリーや商用電源を用いることができる。
【００３６】
また、第１実施形態においては、曲折角度調整具６０の調整ケーブル６４は支持ロッド２０の外表面にあらわれている形態について説明しているが、第２実施形態のように支持ロッド２０内に配設された動力ワイヤ保持管７２と支持ロッド２０の間の空きスペースに調整ケーブル６４を配設することもできる。このようにすることで、携帯型刈払機１０の外観形状をすっきりさせることができると共に、刈り取った草が支持ロッド２０と調整ケーブル６４との間に挟まってしまうことがなくなり、刈払い作業をさらに効率的に行うことができると共に、使用後のメンテナンス作業を軽減させることができる。
【００３７】
本実施の形態においては、曲折用アタッチメント４０を携帯型刈払機１０に予め取り付けた形態について説明しているが、支持ロッド２０に対する刈刃部５０の保持角度が調整できない旧式の携帯型刈払機１０であっても、本発明に係る曲折用アタッチメント４０を装着させることができる。具体的には、支持ロッド２０の刈刃部５０側の一部を切除して、切除部分に本願発明にかかる曲折用アタッチメント４０を接続するだけでよい。この際、原動機から回転刃に動力を伝達する動力伝達手段の種類は何ら限定されるものではない。
このような形態を採用することにより、旧式の携帯型刈払機に対し、非常に簡単な加工をするだけで、支持ロッド２０に対する刈刃部５０の保持角度が調整可能になり、旧式の携帯型刈払機を性能アップさせて再利用することができる。また、携帯用刈払機の全長を調節することも可能になり、支持ロッド２０に対する刈刃部５０の保持角度が調整可能であると共に、ユーザの身長に適合させた携帯用刈払機を安価に提供することも可能になるため好都合である。
【図面の簡単な説明】
【００３８】
【図１】本実施の形態に係る携帯型刈払機の斜視図である。
【図２】支持ロッドの軸線方向と直交する方向における支持ロッドの断面図である。
【図３】図１における刈刃部を拡大した説明図である。
【図４】曲折用アタッチメントの構造を示す平面図である。
【図５】曲折用アタッチメントの構造を示す正面図である。
【図６】曲折部を曲折させた状態を示す正面図である。
【図７】曲折角度調整具を示す平面図である。
【図８】本実施の形態に係る携帯型刈払機の使用状態の一例を示す説明図である。
【図９】本実施の形態における曲折用アタッチメント４０の概略を示す説明平面図である。
【図１０】本実施の形態における曲折角度調整具の説明図である。
【図１１】図１０の平面図と底面図である。
【図１２】従来技術の一例を示す説明図である。
【符号の説明】
【００３９】
１０  携帯型刈払機
２０  支持ロッド
２２  ハンドル
３０  エンジン
４０  曲折用アタッチメント
４２  インナーリンク板
４３  連結ピン
４３ａ  挿通孔
４４  リンク部
４５  アウターリンク板
４６  曲折部
４７  接続部
５０  刈刃部
５２  回転刃
６０  曲折角度調整具
６２  操作レバー
６４  調整ケーブル（動作伝達手段）
６６  巻付部材
７０  動力ワイヤ（動力伝達手段）
７２  動力ワイヤ保持具
８０  コイルスプリング
９０  シャフト（動力伝達手段）
９２  被覆材（保護部材）
【図１】
2007185181.tif 000003
【図２】
2007185181.tif 000004
【図３】
2007185181.tif 000005
【図４】
2007185181.tif 000006
【図５】
2007185181.tif 000007
【図６】
2007185181.tif 000008
【図７】
2007185181.tif 000009
【図８】
2007185181.tif 000010
【図９】
2007185181.tif 000011
【図１０】
2007185181.tif 000012
【図１１】
2007185181.tif 000013
【図１２】
2007185181.tif 000014